(57)【要約】【課題】  防虫機能と防花粉機能を備えて夏季の防虫と花粉飛散時期の防花粉を選択的になし得るようにした防花粉兼用網戸を提供する。【解決手段】  框組みして防虫ネット１２を張設した網戸基枠１と，枠組みしてメッシュ数２００程度以上の高密度織布による防花粉ネット２１を張設した付設枠１３とを備え，網戸基枠１の上下框に室外側に向けて突出したＬ字突条に付設枠１３をスライドすることによって付設枠１３を着脱固定できるようにし，春，初夏，秋等の花粉飛散時期に付設枠１３を網戸基枠１に付設して防花粉性の換気を可能とし，夏季には付設枠１３を取り外して網戸基枠１単体による防虫網戸として防虫性の換気を可能とするように使用するものとしてある。【選択図】        図２
2005264450.tif 000002
【特許請求の範囲】
【請求項１】
上下左右の框を矩形に框組みした網戸基枠と，同じく上下左右の枠を矩形に枠組みしその枠内開口面積を上記網戸基枠と同等程度とし該網戸基枠の室外側又は室内側に付設した付設枠とを備え，上記網戸基枠の開口に防虫ネットを，上記付設枠の開口に防虫ネットより微細メッシュの防花粉ネットをそれぞれ張設し且つ網戸基枠と付設枠との間に気密材を介設してなることを特徴とする防花粉兼用網戸。
【請求項２】
上記網戸基枠が，その直交方向に向けて突出したスライドガイドを備え，該スライドガイドに付設枠をスライド着脱自在とするとともに該スライドガイドに付設枠をネジ固定自在としてその付設を行なってなることを特徴とする請求項１に記載の防花粉兼用網戸。
【請求項３】
上記微細メッシュの防花粉ネットを，メッシュ数２００本／インチ程度以上の高密度織布によるものとしてなることを特徴とする請求項１又は２に記載の防花粉兼用網戸。
【発明の詳細な説明】
【技術分野】
【０００１】
本発明は，防虫機能と防花粉機能の双方を備え，必要に応じて防虫機能専用とし得るようにした防花粉兼用網戸に関する。
【背景技術】
【０００２】
防虫機能を備えた網戸として，例えばアルミ合金や合成樹脂の押出材による上下左右の框を框組みし，それぞれの框の室外側に同一面をなすように一連に配置形成した受溝に防虫ネットの端部を網押え棒によって圧入係止し，サッシ窓の室外側乃至室内側にスライド開閉，開き開閉自在又は嵌め殺し状態に配置したものが広く知られている。
【０００３】
【特許文献１】特開平１１−９３５４８号
【発明の開示】
【発明が解決しようとする課題】
【０００４】
この網戸は通風性があることによって夏場におけるサッシ窓開成時の防虫用に使用されるが，一般に網戸は防虫の必要がない時期を含めて年間を通してサッシ窓にそのまま取り付けられたままとされる傾向が強く，防虫の単機能商品とされていることによって，夏場以外の時期には網戸がその機能を発揮することはない。
【０００５】
しかし乍ら，夏場以外でも，例えば透明ガラスを用いたサッシ窓の遮光機能や目隠し機能，春のスギ，ヒノキ，初夏のオオアワカエリ，秋のブタクサ，ヨモギ等各種花粉の飛散時期に防花粉機能を発揮し得るようにすれば，年間を通して取り付けられる傾向が強い網戸が，夏場の防虫機能とともに防花粉機能を発揮することによって複合機能による有用性を有するものとすることが可能となる。特に花粉症が一般化している現代にあって，網戸が防花粉機能を併せて発揮し得るようにすれば，当該時期に室内への花粉進入を可及的に抑制してサッシ窓を開成して，その通風機能による換気等が可能となり，需要者のニーズに合致したものとし得る。
【０００６】
本発明はこのような事情に鑑みてなされたもので，その解決課題とするところは，第１に，網戸の防虫機能を損なうことなく，可及的簡易な構造によって防花粉機能を付与することによって防中機能と防花粉機能を複合的に有する防花粉兼用網戸を提供するにあり，第２に更に遮光機能乃至目隠し機能を付与してその機能を向上した防花粉兼用網戸とするにある。
【課題を解決するための手段】
【０００７】
上記第１の課題に添って本発明は，矩形に框組みした網戸基枠と，これとその枠内開口面積を略同等とすることによって網戸基体の枠内開口面積を実質的に維持した通気開口を確保可能とするように網戸基体とは独立して矩形に枠組みした付設枠を備え，網戸基枠の室内側又は室外側に付設枠を，それぞれ気密材を介して付設し，網戸基体には防虫ネットを，付設枠には防虫ネットより微細メッシュによる防花粉ネットをそれぞれ張設することによって，花粉の飛散時期には付設枠を装着することにより外気からの通気量を幾分抑制するも室内の換気に適当とし得る程度の通気性を備えるとともに該防花粉ネットによる防花粉機能を発揮する形態とし，夏季にはこれを取り外して通気性を可及的に確保して防虫機能を発揮する形態として使用可能とすることによって，網戸の防虫機能を維持しながら複合的に防花粉機能を付与してその選択的使用をなし得るようにしたものであって，即ち請求項１に記載の発明を，上下左右の框を矩形に框組みした網戸基枠と，同じく上下左右の枠を矩形に枠組みしその開口面積を上記網戸基枠と同等程度とし該網戸基枠の室外側又は室内側に付設した付設枠とを備え，上記網戸基枠の開口に防虫ネットを，上記付設枠の開口に防虫ネットより微細メッシュの防花粉ネットをそれぞれ張設し且つ網戸基枠と付設枠との間に気密材を介設してなることを特徴とする防花粉兼用網戸としたものである。
【０００８】
請求項２に記載の発明は，上記に加えて，網戸基体に対する付設枠の付設を安定且つ確実になし得るようにするとともに付設枠の装着とその取り外しをスライドによって簡便になし得るものとするように，これを，上記網戸基枠が，その直交方向に向けて突出したスライドガイドを備え，該スライドガイドに付設枠をスライド着脱自在とするとともに該スライドガイドに付設枠をネジ固定自在としてその付設を行なってなることを特徴とする請求項１に記載の防花粉兼用網戸としたものである。
【０００９】
請求項３に記載の発明は，一般にこの種花粉粒子は３０〜１００μｍ程度の径のものであることから，付設枠に張設する防花粉ネットを，通気性を確保しながら花粉の通過を可及的に阻止し得る程度に微細とする好ましい形態のメッシュを用いて棒花粉兼用網戸としてその防花粉機能を可及的充分に発揮し得るものとするとともにこのように微細のメッシュを使用することによってこれが可及的に遮光機能乃至目隠し機能を発揮し得るものとし得ることから，上記第２の課題に添って，これを，上記微細メッシュの防花粉ネットを，メッシュ数２００本／インチ程度以上の高密度織布によるものとしてなることを特徴とする請求項１又は２に記載の防花粉兼用網戸としたものである。
【００１０】
本発明はこれらをそれぞれ発明の要旨として上記課題解決の手段としたものである。
【発明の効果】
【００１１】
本発明は以上のとおりに構成したから，請求項１に記載の発明は，網戸基体の枠内開口面積を実質的に維持した通気開口を確保するとともに花粉の飛散時期には付設枠を装着することにより外気かる通気量を幾分抑制するも室内の換気に適当とし得る程度の通気性を備えて該防花粉ネットによる防花粉機能を発揮する形態とし，夏季にはこれを取り外して通気性を可及的に確保して防虫機能を発揮する形態として使用可能とすることによって，網戸の防虫機能を維持しながら複合的に防花粉機能を付与してその選択的使用をなし得るようにした防花粉兼用網戸を提供することができ，このとき気密材を介設したことによって防花粉機能を有する付設枠１３を着脱自在に付設することにる防花粉機能が損われる可能性も解消できる。
【００１２】
請求項２に記載の発明は，上記に加えて，網戸基体に対する付設枠の付設を安定且つ確実になし得るようにするとともに付設枠の装着とその取り外しをスライドによって簡便になし得るものとすることができる。
【００１３】
請求項３に記載の発明は，高密度織布による微細メッシュの防花粉ネットを用いることによって防花粉兼用網戸としてその防花粉機能を可及的充分に発揮し得るものとするとともに可及的な遮光機能乃至目隠し機能を発揮するものとできる。
【発明を実施するための最良の形態】
【００１４】
以下図面の例に従って本発明を更に具体的に説明すれば，Ａは，例えば図示を省略したサッシ枠の網戸レールにスライド開閉自在に設置することによってサッシ窓の室外側に配置するようにした防花粉兼用網戸であり，該防花粉兼用網戸Ａは，網戸基枠１と付設枠１３とを備え，網戸基枠１を，上下左右の框２〜４を矩形に框組みして形成し，付設枠１３を，上下左右の枠１４〜１６を矩形に枠組みしその枠内開口面積を上記網戸基枠１と同等程度として形成したものとしてあり，該付設枠１３は，これを上記網戸基枠１の室外側又は室内側に付設し，上記網戸基枠１の開口には防虫ネット１２を，上記付設枠１３の開口には防虫ネット１２より微細メッシュの防花粉ネット２１をそれぞれ張設し且つ網戸基枠１と付設枠１３との間に気密材２２を介設したものとしてあり，本例にあって上記網戸基体１は，その直交方向に向けて突出したスライドガイド１１を備え，該スライドガイド１１に付設枠１３をスライド着脱自在とするとともに該スライドガイド１１に付設枠１３をネジ２５固定自在としてその付設を行なったものとしてある。
【００１５】
網戸基枠１の上下左右の框２〜４，即ち上框２，下框３，縦框４と付設枠１３の上下左右の枠１４〜１６，即ち上枠１４，下枠１５と縦枠１６は，それぞれアルミ合金乃至合成樹脂の押出材等の長尺材を所定長さに切断して穴加工等を施したものを用い，これらを框組み乃至枠組することによってそれぞれテラス窓，肘掛窓等設置するサッシ窓の開口に合せた寸法の矩形枠として網戸基枠１及び付設枠１３としてあり，このとき付設枠１３は，その枠内開口面積を上記網戸基枠１と同等程度，本例にあっては同一の開口面積とするようにその枠組みを行なったものとしてあり，これによって付設枠１３の着脱の如何を問わず網戸基枠１の開口面積を常に維持してその通風性を可及的に大きく確保するものとしてある。
【００１６】
本例にあって網戸基枠１の上下左右の框２〜４は，例えば，それぞれ框組用のタッピングホールを備えた中空部５と，該中空部５の面内側にそれぞれ室外側に向けて開口した受溝７を形成するように配置したＬ字条６と，その面外側にそれぞれ一対の突条により面外側に向けて開口し，上框２及び下框３においてサッシ上下枠の各ガイドレールに滑動自在乃至転動自在とするスラシ又は戸車を装着するように配置したガイド装着溝８，縦框４においてサッシ縦枠のフィンを受入れ係合するように配置した戸当溝９とを備えたものとし，更に上框２及び下框３にあっては上記中空部５乃至その突条における室外側の側面から室外側に対向するように突設した各Ｌ字突条１０により対向方向に開口する付設枠の受座をなすように上記スライドガイド１１を備えたものとしてあり，本例の上框２と下框３はこれを同一断面形状として反転使用する共通部材とし，また縦框４も左右で同一断面形状として反転使用する共通部材とすることによって，２種の断面形状の長尺材によってこれを構成したものとしてある。このとき本例の網戸基枠１としての框組みは，対向する縦框４の上下に上下框２，３を突き合せて縦框４からタッピングホールに図示省略のタップネジを螺入して縦框４に上下框２，３を架設固定するようにこれを行ってある。
【００１７】
本例にあって付設枠１３の上下左右の枠１４〜１６は，例えば，同じく枠組み用のタッピングホールを備えた中空部１７と，該中空部１７の同じく面内側に，上記網戸基枠１の受溝７と対面するようにそれぞれ室内側に向けて開口した受溝１９を形成するように配置したＬ字条１８と，上記中空部１７の室内側の側面に凹陥形成した気密材受溝２０とを備えたものとしてあり，本例にあってこれら上下左右の枠１４〜１６は，これを同一断面形状のものを上下左右でそれぞれ反転使用する共通部材とし，単一の断面形状によってこれを構成したものとしてある。このとき本例の付設枠１３としての枠組みは，上下左右の枠１４〜１６の留め切り端部を突き合せて突合せ一方のタッピングホールに同じく図示省略のタッピングネジを螺入して留め接合するようにこれを行なってある。
【００１８】
網戸基枠１にはその上下左右の框２〜４によって区画される面内空間の開口に，各框２〜４の上記受溝７に防虫ネット１２の端部を載置するように配置し，該受溝７に網押え棒２３を圧入することによって該防虫ネット１２をその全面に張設してあり，このとき本例の防虫ネット１２は，メッシュ数２２本／インチ程度のもの，即ち例えば，経糸径及び緯糸径２１５μｍ程度，メッシュ数２０程度，空隙率９０％程度，通気性５００ｃｍ３／ｃｍ２／秒程度の一般的に市販されるものを用いることによって，防虫機能を確保するとともに通風性を比較的高度に確保したものとしてあり，本例にあって上記受溝７は，これを室外側に開口したことによって，該防虫ネット１２を網戸基枠１の室外側の側面に上下左右の框と面一となるように配置してある。
【００１９】
一方付設枠１３には同じくその上下左右の枠１４〜１６によって区画される面内空間の開口に，同様に各枠１４〜１６の受溝１９に防花粉ネット２１の端部を載置するように配置し，同じく該受溝１９に網押え棒２３を圧入することによって該防花粉ネット２１をその全面に張設してあり，本例にあって該付設枠１３の受溝１９は，これを室内側に開口したことによって，該防花粉ネット２１を付設枠１３室内側の側面に上下左右の枠と面一となるように配置してあり，またその中空部１７室内側の側面に凹陥形成した気密材受溝２０に，例えば気密材ベースを長手方向端部からスライド挿入することによってモヘア，ゴムパッキン等の気密材２２を上下左右の枠１４〜１６からその室内側に突出して一連に連続するように装着してある。
【００２０】
このとき本例の防花粉ネット２１は，上記防虫ネット１２より特に大幅に微細とした，例えばメッシュ数２００本／インチ程度以上の高密度織布によるものとしてあり，本例にあって該高密度織布は，例えばポリエステル，ナイロン等の高密度モノフィラメント繊維の織布によるメッシュ数２００本／インチ程度の微細メッシュを使用しており，このとき該メッシュ数２００本／インチ程度の高密度繊維は，例えば，その経糸径及び緯糸径５０μｍ程度として，これを高密度に織成することによって空隙率４０％程度，通気性３６０ｃｍ３／ｃｍ２／秒程度とした，超微細合成繊維を高密度織成した特殊微細メッシュによるものとしてある。
【００２１】
即ちこの種防花粉ネット２１として，その高密度モノフィラメント繊維の経糸及び緯糸の糸径を５０μｍ程度以下に更に微細化してメッシュ数を更にアップし，例えばこれを３００本／インチ程度までのものとして，上記空隙率を４０％程度以下，通気性を３６０ｃｍ３／ｃｍ２／秒程度以下とした高密度織布も使用可能であり，このようにしたものを使用することを妨げるものではないが，本例の上記防花粉ネット２１は，上記一般的な防虫ネット１２に対して，メッシュ数において約１０倍程度，糸径において約１／４程度のものを用いることによって，空隙率を１／２程度，通気性を２／３程度に維持し得るようにして，例えばメッシュ数を更にアップし，これを３００本／インチ程度のものとすることによって損われる可能性のある外気通気量を，室内の換気に適した程度に確保して防花粉兼用網戸Ａとしての通気性を確保し得るようにしつつ，一般に３０〜１００μｍ程度の径である花粉に対してその物理的障壁を形成してその進入を防止し得るようにしてある。本例の上記防花粉ネットによるスギ花粉の防花粉性能テストによれば，極く一部の花粉の進入が認められるも，その阻止率は８０数％であり，サッシ窓を開成した状態で花粉の進入を有効に阻止するものであった。また本例の防花粉ネット２１は，半透明のシート状であり，これによって直射日光を弱めるように相当程度の遮光機能を有するとともに目隠し機能を持ち，従って本例の防花粉ネット２１を使用することによって上記通風性を有する防花粉機能とともに遮光性と外部からの視線を遮断する目隠し性を発揮するものとし得るとともに本例の防花粉ネット２１は，上記高密度織成の織布であることによって雨水の浸入を阻止する防水性を有するものとすることができる。
【００２２】
防花粉ネット２１を張設した付設枠１３は，防虫ネット１２を張設した上記網戸基枠１に対して，その上框２と下框３の上記スライドガイド１１に網戸基枠１の開放した縦枠４側端部から付設枠１３をスライドすることによってその着脱を行うようにしてあり，このときスライドガイド１１への付設枠１３のネジ２５固定は，例えば付設枠１３の上枠１４及び下枠１５の長手方向中間位置に単一又は複数，例えば２ヶ所にネジ受用のナット２４を埋込設置し，上記スライドガイド１１を形成する上框２と下框３のＬ字突条１０における室外側端部起立の起立条に透設した長手方向に上記ナット数と同じ２ヶ所の透孔を介して，それぞれナット２４に対して固定ネジ２５を螺装し，該起立条に付設枠１３の上下合計４ヶ所を締着固定することによって行ない，該付設枠１３を網戸基体１に，その揺動を防止し，風圧等の外力を受けても強固且つ確実に保持し得るようにしてある。
【００２３】
本例にあって付設枠１３を網戸基体１に付設設置することによって，網戸基枠１の室外側の側面に配置した防虫ネット１２と付設枠１３の室内側の側面に配置した防花粉ネット２１が近接して対面し，これらが第１次及び第２次のフィルターとして，本例にあっては防花粉ネット２１が１次フィルターとして花粉進入を阻止して通過した外気を，防虫ネット１２が２次フィルターとして通過させることによって，相当程度の通気性を確保して室内の換気を行うとともに防花粉兼用網戸Ａとすることができる。
【００２４】
このとき本例の付設枠１３は，その中空部１７及びＬ字条１８を含めて網戸基枠１の中空部５及びＬ字条６と同一高さとしてその開口を網戸基枠１と同一としてあるから，付設枠１３を付設することによって網戸基枠１の通気開口が狭まり，通気性が失われたり，サッシ窓における採光性が失われたりすることも防止できる。また本例にあってはその防花粉ネット２１を室外側に配置したことによって該防花粉ネット２１が防水性を発揮するから，室内側の防虫ネット１２やこれを張設した網戸基枠１が，雨水に塵埃を吸収付着することによって生じる汚れを可及的に防止できる。更に付設枠１３には気密材受溝２０に網戸基枠１に向けて突出するように気密材２２を装着してこれらの間に介設することによって気密性が確保される結果，付設枠１３を設置することによる枠框間から花粉が進入することが防止でき，防花粉機能を有する付設枠１３を着脱自在に付設することによってその防花粉機能が損われることもない。
【００２５】
このように本例の防花粉兼用網戸Ａは，網戸基体１の枠内開口面積を実質的に維持した通気開口を確保するとともに花粉の飛散時期には付設枠１３を装着することにより外気からの通気量を幾分抑制するも室内の換気に適当とし得る程度の通気性を備えて該防花粉ネット２１による防花粉機能を発揮する形態とし，夏季にはこれを取り外して通気性を可及的に確保して防虫機能を発揮する形態として使用可能とすることによって，網戸としての防虫機能を維持しながらこれに複合的に防花粉機能を付与してその選択的使用をなし得るものとすることができ，網戸基体１に対する付設枠１３の着脱をスライドによって簡便になし得ることによってその付設を安定且つ確実になし得る上，防花粉ネット２１がその防花粉機能を可及的充分に発揮し，併せて可及的な遮光機能乃至目隠し機能を発揮することができる。
【００２６】
図示した例は以上としたが，防花粉兼用網戸の設置形態は，上記のようにサッシ窓の室外側に防花粉兼用網戸を設置するのが，室外側に網戸レールを備えた既存のサッシ枠に容易に装着配置できて一般的であるが，網戸レールを室内側に備えたサッシ枠乃至サッシ枠の室内側に網戸レールを後付するとき等に付設枠は，これをその室内側に設置することができ，後者の場合，例えば上記網戸基枠の受座乃至これをなすスライドガイドを該網戸基枠の室内側に配置することによって付設枠をその室内側に同様に付設するようにし，室外側に防虫ネット，室内側に防花粉ネットを配置するようにすることができ，また上記防花粉兼用網戸をサッシ枠の室外側に配置する場合であっても，例えば網戸基枠の上記防虫ネット張設用の受溝を室外側にせり出し配置し，その室内側に付設枠の受座を，例えば上記スライドガイドによって設置し，該受座に付設枠を付設するように，その位置関係を上記と逆とすればよく，これらによって上記と同様に防花粉兼用網戸を使用して同機能を発揮することが可能となる。
【００２７】
また上記網戸基枠の上框と下框に配置したスライドガイドを用いるとき縦框の一方に付設枠の受板を設置し，付設枠を網戸基枠の３枠で支持するようにすること，該スライドガイドを用いた装着に代えて，網戸基枠に引掛け透孔を，付設枠に引掛け突起を配置し，これら透孔と突起の係合によって正面乃至背面から付設枠を着脱するようにし，また左右の縦框に付設枠支持用のフィン乃至同様なＬ字突条を配置して付設枠をこれらにネジ固定するようにすること，この場合フィン乃至Ｌ字突条の下端に付設枠の受座をなす支持ブロックを配置すること等も可能であり，これらを含めて，本発明の実施に当って，網戸基枠，その框組み，防虫ネット，付設枠，その框組み，防花粉ネット，必要に応じて使用するスライドガイド，そのネジ固定等の各具体的構造，形状，材質，これらの関係，これらに対する付加等は，上記発明の要旨に反しない限り様々の形態のものとすることができ，以上に具体的に示したものに殊更限定する必要はない。
【図面の簡単な説明】
【００２８】
【図１】防花粉兼用網戸の正面図である。
【図２】網戸基枠と付設枠の関係を示す分解斜視図である。
【図３】防花粉網戸の縦断面図である。
【図４】防花粉網戸の横断面図である。
【符号の説明】
【００２９】
Ａ  防花粉兼用網戸
１  網戸基枠
２〜４  框
６  Ｌ字条
７  受溝
１０  Ｌ字突条
１１  スライドガイド
１２  防虫ネット
１３  付設枠
１４〜１６  上下左右の枠
１８  Ｌ字条
１９  受溝
２０  気密材受溝
２１  防花粉ネット
２２  気密材
２３  網押え棒
２４  ナット
２５  ネジ
【図１】
2005264450.tif 000003
【図２】
2005264450.tif 000004
【図３】
2005264450.tif 000005
【図４】
2005264450.tif 000006